(57)【要約】【構成】天板を脚部材によって支え、この天板に便用窓部を設けるとともにこの窓部の下方に便袋を着脱可能に取付け、この便袋が前記便用窓部の裏側に開口しているとともにこの窓部に蓋部を設けた簡易式ストーマ便の処理装置。【効果】オストメイトは、天板の蓋部を開け、自己のパウチに溜まった糞尿を、前記便用窓部から前記便袋に投入し、前記蓋部を閉め、このパウチを元の状態に戻す。また、処分して新しいパウチに取り替える場合もある。前記便袋に糞尿が一定量溜まった際には、紐でその開口部を縛ることによって閉じて、汚水処理場まで運搬する。地震等の非常時が発生して水道が断水になっても、オストメイトにとってパウチの糞尿の処理が通常のときと略同じ状態でできる。【選択図】    図１
2007021165.tif 000002
【特許請求の範囲】
【請求項１】
天板を脚部材によって支え、この天板に便用窓部を設けるとともにこの窓部の下方に便袋を着脱可能に取付け、この便袋が前記便用窓部の裏側に開口しているとともにこの窓部に蓋部を設けたことを特徴とする簡易式ストーマ便の処理装置。
【請求項２】
請求項１の簡易式ストーマ便の処理装置において、前記蓋部をスライド式にしたことを特徴とする簡易式ストーマ便の処理装置。
【請求項３】
請求項１の簡易式ストーマ便の処理装置において、前記脚部材を函体に形成し、この函体を折り畳み可能にしたことを特徴とする簡易式ストーマ便の処理装置。
【請求項４】
請求項１の簡易式ストーマ便の処理装置において、前記天板に廃棄物用窓部を設けるとともにこの窓部の下方に廃棄物用袋を着脱可能に取付け、この廃棄物用袋が前記廃棄物用窓部の裏側に開口しているとともにこの窓部に蓋部を設けたことを特徴とする簡易式ストーマ便の処理装置。
【請求項５】
天板を脚部材によって支え、この天板に便用窓部を設けるとともにこの窓部の下方にマンホールを配置させ、この窓部に蓋部を設けたことを特徴とする簡易式ストーマ便の処理装置。
【発明の詳細な説明】
【技術分野】
【０００１】  この発明は簡易式ストーマ便の処理装置に関し、地震等の非常時において、パウチへ排尿・排糞を行う、所謂、人工肛門、人工膀胱（ストーマ）を装着した患者（オストメイト）が便処理のさいに使用するものである。
【背景技術】
【０００２】  従来におけるこの種のストーマ便の処理装置は、天板を脚部材によって支え、この天板にシンク部を設けたものであり、患者（オストメイト）は身に付けたパウチを天板に載置した状態でこのパウチ内に滞留している糞尿を前記シンク部に投入するとともに洗浄手段によってパウチの内面や排便口に付着した糞尿を洗浄していた。【０００３】
【特許文献１】特開２００４−１８８１５６号公報
【発明の開示】
【発明が解決しようとする課題】
【０００４】  しかしながら、かかる従来のストーマ便の処理装置にあっては、前記洗浄手段として、公的な水道を使用していたため、地震等によって水道が断水になった場内には、使用することができず、オストメイトにとっては糞尿の処理ができないという不都合を有した。【０００５】  この発明の課題はかかる不都合を解消することである。
【課題を解決するための手段】
【０００６】  上記課題を解消するために、この発明に係る簡易式ストーマ便の処理装置においては、天板を脚部材によって支え、この天板に便用窓部を設けるとともにこの窓部の下方に便袋を着脱可能に取付け、この便袋が前記便用窓部の裏側に開口しているとともにこの窓部に蓋部を設けたものである。【０００７】  なお、前記蓋部をスライド式にすることもできる。【０００８】  また、前記脚部材を函体に形成し、この函体を折り畳み可能にすることもできる。【０００９】  また、前記天板に廃棄物用窓部を設けるとともにこの窓部の下方に廃棄物用袋を着脱可能に取付け、この廃棄物用袋が前記廃棄物用窓部の裏側に開口しているとともにこの窓部に蓋部を設けることもできる。【００１０】  また、天板を脚部材によって支え、この天板に便用窓部を設けるとともにこの窓部の下方にマンホールを配置させ、この窓部に蓋部を設けることもできる。
【発明の効果】
【００１１】  この発明に係る簡易式ストーマ便の処理装置においては、天板を脚部材によって支え、この天板に便用窓部を設けるとともにこの窓部の下方に便袋を着脱可能に取付け、この便袋が前記便用窓部の裏側に開口しているとともにこの窓部に蓋部を設けたため、オストメイトは、天板の蓋部を開け、自己のパウチに溜まった糞尿を、前記便用窓部から前記便袋に投入し、前記蓋部を閉め、このパウチを元の状態に戻す。また、処分して新しいパウチに取り替える場合もある。そして、前記便袋に糞尿が一定量溜まった際には、紐でその開口部を縛ることによって閉じて、汚水処理場まで運搬すればよい。【００１２】  よって、この簡易式ストーマ便の処理装置を使用すれば、地震等の非常時が発生して水道が断水になっても、オストメイトにとってパウチの糞尿の処理が通常のときと略同じ状態でできるものである。【００１３】  なお、前記蓋部をスライド式にすれば、蓋部を閉じたときに前記便用窓部を密閉化しやすいため、便袋内の糞尿の臭いが空気中へ発散するのを防止しやすいものである。【００１４】  また、前記脚部材を函体に形成し、この函体を折り畳み可能にすれば、この簡易式ストーマ便の処理装置を不使用時においてコンパクトにでき、積載しやすいため、地震等の非常時に備えて防災倉庫等に保管しやすいものである。【００１５】  また、前記天板に廃棄物用窓部を設けるとともにこの窓部の下方に廃棄物用袋を着脱可能に取付け、この廃棄物用袋が前記廃棄物用窓部の裏側に開口しているとともにこの窓部に蓋部を設ければ、不用となったパウチやティシュをこの窓部に投入することができるため、オストメイトにとってさらに便利になる。【００１６】  また、前記天板に便用窓部を設けるとともにこの窓部の下方にマンホールを配置させ、この窓部に蓋部を設ければ、オストメイトは、天板の蓋部を開け、自己のパウチに溜まった糞尿を、前記便用窓部からマンホール内に直接投入することができるため、便袋を使用しない状態でオストメイトはパウチ内の糞尿の処理をすることができる。
【発明を実施するための最良の形態】
【００１７】    天板に便用窓部を設けるとともにこの窓部の下方に便袋を着脱可能に取付け、この便袋が前記便用窓部の裏側に開口しているとともにこの窓部に蓋部を設けるようにすることが必要である。
【実施例１】
【００１８】  以下、この発明の実施例を説明する。
図１はこの発明に係る簡易式ストーマ便の処理装置の斜視図、図２は図１と反対側から見た部分拡大斜視図、図３は天板を外した状態の斜視図、図４は図２におけるＩＶ−ＩＶ線拡大断面図、図５は脚部の平面図、図６は脚部を畳んだ状態の平面図、図７は畳んだ脚部に天板を重ねた状態の斜視図である。【００１９】  図１において、Ｍは簡易式ストーマ便の処理装置、１０はその脚部、２０はこの脚部１０の上部に載置された天板である。また、脚部１０の前下端には、足載板３０が蝶番３１によって上方に折り畳み可能な状態で設置されている。【００２０】  まず、図３，図５および図６に基づいて、前記脚部１０について説明する。図３に示すように、この脚部１０は函状であり、前板１１と背板１２と右側板１３と左側板１４とを筒状に繋げたものである。図５に示すように、右側板１３と左側板１４とは、二枚の板からなり中心部において蝶番１５，１５，…により外側に折り曲げ可能である。また、右側板１３と左側板１４とにおける前記前板１１と背板１２との連結部は蝶番１７，１７，…によって内側に折り曲げ可能である。この脚部１０を折り畳み、前記足載板３０を前板１１に折り畳んだ状態が図６に示されている。【００２１】  次に、図３において、５０は係止具であり、その枠体５１を介して前記脚部１０の上端縁に嵌められている。５２は糞袋係止リング、５３は廃棄袋係止リングであり、それぞれ、連結棒５４，５４…を介して前記枠体５１に繋がれている。前記糞袋係止リング５２には糞袋６０が係止され、廃棄袋係止リング５３には廃棄物用袋６１が係止されてそれぞれつり下げられる。また、前記連結棒５４における前記糞袋係止リング５２、廃棄袋係止リング５３の外側には下方に向かってＵ字状の湾曲部５５が形成されている。している。このＵ字状の湾曲部５５に前記糞袋係止リング５２、廃棄袋係止リング５３の開口端が折り曲げられて係止状態をしっしりしたものとする（図４を参照のこと）。【００２２】  次に、図１，図２および図４に基づいて、天板２０について説明する。
２１は枠板であり、前記天板２０の下面に固定されている。この枠板２１を前記脚部１０に外嵌めすることによって、前記天板２０はこの脚部１０に着脱可能に設置されている。なお、図４に示すように、天板２０を脚部１０に外嵌めする際に所定の隙間を確保する必要上、脚部１０の上端面にスペーサＳ，Ｓ，…が介在している。【００２３】  ２２は便用窓部であり、前記天板２０に形成されている。この便用窓部２２は前記  糞袋係止リング５２の上方に位置している（図４を参照のこと）。２３はスライド便蓋（この発明の「便蓋部」に相当する）であり、前記便用窓部２２の裏面においてスライド可能に設置されている。【００２４】  ２５は廃棄物用窓部であり、前記天板２０に形成されている。この廃棄物用窓部２５は前記廃棄袋係止リング５３の上方に位置している。２６はスライド廃棄物蓋にの発明の「廃棄物蓋部」に相当する）であり、前記廃棄物用窓部２５はの裏面においてスライド可能に設置されている。【００２５】  なお、６１，６２，６３はテッシュホルダーであり、前記天板２０の背面側に設置されている。このテッシュホルダー６１，６２，６３にＨそれぞれロールテッシュＴが設置されている。また、６４は物置枠であり、前記天板２０の手前側に設置されている。この物置枠６４は、軟膏，パウチ（袋）等オストメイトにとって必要なものをおくためのものである。更に、６５は杖オルダー，６６はタオル掛けである。【００２６】  なお、図７は、畳んだ脚部１０に天板２０を重ねて、糞袋６０と廃棄袋用袋６１が重ねられて、多重に積載可能なコンパクトな形状に纏められた状態を示している。【００２７】  なお、この実施例は、便袋を使用するものを説明したが、前記天板の便用窓部の下方にマンホールを配置させれば、直接、糞尿をマンホール内に投入することができるものである。【００２８】  また、簡易式ストーマ便の処理装置は、プライバシーを守る必要上、テント等で周囲を囲って使用することが必要である。
【産業上の利用可能性】
【００２９】  水道が断水になっても、オストメイトにとってパウチの糞尿の処理が通常のときと略同じ状態でできるため、地震等の非常時に利用できる。
【図面の簡単な説明】
【００３０】
【図１】図１はこの発明に係る簡易式ストーマ便の処理装置の斜視図である。
【図２】図２は図１と反対側から見た部分拡大斜視図である。
【図３】図３は天板を外した状態の斜視図である。
【図４】図４は図２におけるＩＶ−ＩＶ線拡大断面図である。
【図５】図５は脚部の平面図である。
【図６】図６は脚部を畳んだ状態の平面図である。
【図７】図７は畳んだ脚部に天板を重ねた状態の斜視図である。
【符号の説明】
【００３１】  Ｍ  …  簡易式ストーマ便の処理装置
Ｓ  …  スペーサ
Ｔ  …  ロールテッシュ
１０  …  脚部
１１  …  前板
１２  …  背板
１３  …  右側板
１４  …  左側板
１５  …  蝶番
１７  …  蝶番
２０  …  天板
２１  …  枠板
２２  …  便用窓部
２３  …  スライド便蓋（便蓋部）
２５  …  廃棄物用窓部
２６  …  スライド廃棄物蓋（廃棄物蓋部）
３０  …  足載板
３１  …  蝶番
５０  …  係止具
５１  …  枠体
５２  …  糞袋係止リング
５３  …  廃棄袋係止リング
５４  …  連結棒
５５  …  Ｕ字状の湾曲部
６０  …  糞袋
６１  …  廃棄物用袋
６１  …  テッシュホルダー
６２  …  テッシュホルダー
６３  …  テッシュホルダー
６４  …  物置枠
６５  …  杖オルダー
６６  …  タオル掛け
【図１】
2007021165.tif 000003
【図２】
2007021165.tif 000004
【図３】
2007021165.tif 000005
【図４】
2007021165.tif 000006
【図５】
2007021165.tif 000007
【図６】
2007021165.tif 000008
【図７】
2007021165.tif 000009